(57)【要約】【課題】スライダーの引手同士、または引手と摘み片とを簡単な機構で係合させ、ファスナーチェンの開口を防ぎ、かつ施錠ができるスライダーを提供する。【解決手段】ファスナーチェンを閉鎖したとき、スライダーの引手と受部材としての他のスライダーの引手、または摘み片とが同一方向へ向けて重合することができ、引手と受部材との対向面にそれぞれ係合部たとえばスナップタイプの係合凸部と係合凹部を設けて係合させ、ファスナーチェンを閉鎖させた後、引手または摘み片に設けた重合できる透孔に錠前の錠杆を挿通して簡易に施錠または封止する。【選択図】　図１
2004049503.tif 000002
【特許請求の範囲】
【請求項１】
ファスナーチェン１の閉鎖時にスライダー２の引手３と受部材４とが同一方向において重合可能に形成し、引手３の表面と受部材４の表面との双方に係合部６を設けて係合可能に形成し、引手３と受部材４とが重合したとき、合致する施錠または封止用の透孔９を引手３および受部材４に設けたことを特徴とするスライドファスナー用スライダー。
【請求項２】
受部材４は、スライダー２に対向して衝合状に配したスライダー２の引手３から形成してなる請求項１記載のスライドファスナー用スライダー。
【請求項３】
受部材４は、ファスナーチェン１の末端に一端を固定した摘み片５から形成してなる請求項１記載のスライドファスナー用スライダー。
【請求項４】
対向して衝合状に配したスライダー２における双方の引手３を金属製にし、該引手３に穴部１０を穿設して穴部１０の周囲に係合部６として合成樹脂製の係合凸部７または係合凹部８を成形してなる請求項１記載のスライドファスナー用スライダー。
【請求項５】
引手３における穴部１０の周囲に引手３より薄い舌片１１を周設し、該舌片１１を埋装する形で係合部６として係合凸部７または係合凹部８を成形してなる請求項４記載のスライドファスナー用スライダー。
【請求項６】
対向して衝合状に配したスライダー２における一方の引手３の中央に、対向するスライダー２における引手取付部１２を嵌挿するための長孔１３を穿設してなる請求項１記載のスライドファスナー用スライダー。
【請求項７】
対向して衝合状に配したスライダー２の引手３を、それぞれへの字状に形成し、伏臥させて重合可能に形成してなる請求項１記載のスライドファスナー用スライダー。
【請求項８】
対向して衝合状に配したスライダー２の引手３は、一方の引手３に係合部６として開口部分が狭まる断面凹状のリップ溝形１５の係合凸部７、他方の引手３に係合部６として両側外縁に切欠部１６を形成した係合凹部８を設け、係合可能に形成してなる請求項１記載のスライドファスナー用スライダー。
【請求項９】
スライダー２の引手３と受部材４の表面に、係合部６として一方に雄形面ファスナー片１８を装着し、他方に雌形面ファスナー片１９を装着して係合可能に形成してなる請求項１記載のスライドファスナー用スライダー。
【請求項１０】
スライダー２の引手３と受部材４とに起立する固定板２０を設け、該固定板２０に施錠または封止用の透孔９を横設してなる請求項１記載のスライドファスナー用スライダー。
【発明の詳細な説明】
【０００１】
【発明の属する技術分野】
この発明は、閉鎖されたファスナーチェンに２個のスライダーを対向状に装着し、または１個のスライダーとファスナーチェンの端部に装着した摘み片などによって、ファスナーチェンに装着したスライダーの引手を簡単に揺動するのを抑制すると同時に、ファスナーチェンが自然に開口するのを防ぎ、かつ引手を利用して施錠または封止することができるスライドファスナー用スライダーに関するものである。
【０００２】
【従来の技術】
２個の物品、たとえばスライドファスナー付き手袋とか、スライドファスナー付きブーツ、その他環状部材が取り付けられた物品を連結するのに用いるスナップ連結具、たとえば図１３に示すように２枚の基板のそれぞれの一側縁から突出し、その基部に弾性的挿入間隙を有する係合爪を設けるとともに、一方の基板の一面にスナップ雄型、他方の基板の一面にスナップ雌型を形成したスナップ連結具を樹脂で成形し、この連結具をスライダーに取り付けられたクランパー、あるいは物品に取り付けられた環状部材に係合爪を弾性的に拡開して挿入し、基板の雄型、雌型を係合して物品を連結するスナップ連結具が実開昭５７−１８９４０９号公報に開示されている。
【０００３】
図１４に示すように、ファスナーチェンに２個のスライダーを装着し、この際スライダーの頭部を突き合わせる状態に配し、一方の引手上面に他方の引手を同一方向へ向けて重合し、引手同士を係合可能に形成した、すなわち一方の引手の基部側に凹陥状の係合凹部を設け、この係合凹部内へ進退可能な係止爪をスプリングにより弾設し、他方の引手はスライダーの肩口側へ倒伏させたとき、引手の先端側に突設した係合凸部の前面に凹部を設け、係合凸部を係合凹部内へ押し込むと、係止爪が凹部へ嵌入して引手が係合できる形に形成するとともに、係止爪の進退を規制する施錠機構を内装したスライドファスナー用スライダーが実公平７−２１１２６号公報に開示されている。
【０００４】
【発明が解決しようとする課題】
前項で述べた図１３に示した２個の物品を連結するスナップ連結具は、２枚の基板にそれぞれスナップ雄型とスナップ雌型を形成し、この基板をスライドファスナーのスライダーに装着したクランパーに取り付け、または物品に装着した環状部材に取り付けて使用するものであり、基板は同一方向へ向けて重合するものでなく互い違い状に重合するから、たとえスライドファスナーに応用したとしても、２個のスライダーを衝合状に装着したスライダーには基板は適用できない。また基板は樹脂製であり大きな力が加わるスライダーの引手には不向きであるなど問題点がある。
【０００５】
また、図１４に示したファスナーチェンに２個のスライダーを衝合状に配した事例は、スライダー全体が金属製であり、スライダーの引手に係合機構および施錠機構を組み込まなければならないので、スライダーの製作が面倒であり、またスライダーが大型化しコスト高になる。さらに施錠機構が内装されているため、市販の錠前、封止具を簡易に使用することができないなど問題点がある。
【０００６】
この発明は、上述の問題点を考慮して発明されたものであり、請求項１記載の発明は、ファスナーチェンに２個のスライダーを配し、または１個のスライダーとファスナーチェンの端部に配した摘み片とによって、スライダーの引手同士、または引手と摘み片とを同一方向へ向けて重合でき、かつ簡単に係合できる形態に形成し、ファスナーチェンの開口を防ぐとともに、引手を利用して簡易に市販の錠前、封止具が使用でき安価なスライドファスナー用スライダーを提供することが主たる目的である。
【０００７】
請求項２記載の発明は、請求項１記載の発明の目的に加え、ファスナーチェンの開口を防ぐのは、ファスナーチェンに配した２個のスライダーにおける引手の重合によって達成できるスライドファスナー用スライダーを提供することが目的である。
【０００８】
請求項３記載の発明は、請求項１記載の発明の目的に加え、ファスナーチェンの開口を防ぐのは、ファスナーチェンに配したスライダーの引手と、ファスナーチェンの末端に配した摘み片との重合によって達成できるスライドファスナー用スライダーを提供することが目的である。
【０００９】
請求項４および５記載の発明は、請求項１記載の発明の目的に加え、スライダーの引手は金属から作製し、係合部分は合成樹脂を用いて引手に一体的に成形し、軽快な係合ができる係合機構を備えた引手を簡易に作製できるスライドファスナー用スライダーを提供することが目的である。
【００１０】
請求項６および７記載の発明は、それぞれ請求項１記載の発明の目的に加え、スライダーの引手同士の重合をいろいろな形態で重合することができ、その重合形態を特定することによって、スライドファスナーの適用範囲の拡充を図ったスライドファスナー用スライダーを提供することが目的である。
【００１１】
請求項８記載の発明は、請求項１記載の発明の目的に加え、スライダーの引手同士の重合により、重合できる形態を特定し、簡易に係脱操作を行うことができる引手を備えたスライドファスナー用スライダーを提供することが目的である。
【００１２】
請求項９記載の発明は、請求項１記載の発明の目的に加え、スライダーの引手同士または引手と摘み片とによる係合形態を特定し、簡単に係合部材を調達でき、簡易に係脱操作を行うことができる引手を備えたスライドファスナー用スライダーを提供することが目的である。
【００１３】
請求項１０記載の発明は、請求項１記載の発明の目的に加え、スライダーの引手同士または引手と摘み片との重合形態を特定し、錠前、封止具を横方向から施錠または封止できるスライドファスナー用スライダーを提供することが目的である。
【００１４】
【課題を解決するための手段】
前記の目的を達成するため、この発明のうち請求項１記載の発明は、ファスナーチェン１を閉鎖したとき、スライダー２の引手３と受部材４としての他のスライダー２の引手３または摘み片５とが同一方向へ向けて重合できる形に形成し、引手３の表面と受部材４としての引手３または摘み片５の表面との双方に係合部６を設けて係合できる形に形成し、引手３と受部材４とが同一方向へ向けて重合したとき、互いに合致する施錠用または封止用の透孔９を引手３および受部材４に設け、市販されている錠前２５または封止具２６によって施錠または封止できるスライドファスナー用スライダーを主な構成とするものである。
【００１５】
請求項２記載の発明は、請求項１記載の発明の構成に加え、引手３と対向する受部材４は、ファスナーチェン１に配置したスライダー２に対し、対向して突き合わせ状に配置した他のスライダー２の引手３から形成したスライドファスナー用スライダーである。
【００１６】
請求項３記載の発明は、請求項１記載の発明の構成に加え、引手３と対向する受部材４は、ファスナーチェン１に配置したスライダー２の引手３に対し、ファスナーチェン１の末端に、一端を固定した摘み片５から形成したスライドファスナー用スライダーである。
【００１７】
請求項４記載の発明は、請求項１記載の発明の構成に加え、ファスナーチェン１において対向して突き合わせ状に配置したスライダー２の引手３は、双方ともに亜鉛合金、アルミニウム合金などの金属を用いて、引手３の一部に穴部１０のある引手をダイカスト成形で形成し、穴部１０の周囲にポリアセタール、ポリアミド、ポリプロピレン、ポリブチレンテレフタレートなどの熱可塑製樹脂を用いて、係合部６として係合凸部７または係合凹部８を射出成形したスライドファスナー用スライダーである。
【００１８】
請求項５記載の発明は、請求項４記載の発明の構成に加え、金属製の引手３に設けた穴部１０の周囲に引手３よりも厚さが薄い舌片１１を設け、この舌片１１が埋装される状態で熱可塑性樹脂を用いて係合部６として係合凸部７または係合凹部８を射出成形したスライドファスナー用スライダーである。
【００１９】
請求項６記載の発明は、請求項１記載の発明の構成に加え、ファスナーチェン１において対向して突き合わせ状に配置したスライダー２の一方の引手３は、中央部分に対向する他方のスライダー２における引手取付部１２が嵌装することができる長孔１３を設けたスライドファスナー用スライダーである。
【００２０】
請求項７記載の発明は、請求項１記載の発明の構成に加え、ファスナーチェン１において対向して突き合わせ状に配置したスライダー２の引手３は、それぞれがへの字状に屈曲する形に形成し、引手３が伏せた状態で重合できる形に形成してたスライドファスナー用スライダーである。
【００２１】
請求項８記載の発明は、請求項１記載の発明の構成に加え、ファスナーチェン１において対向して突き合わせ状に配置したスライダー２の一方の引手３は、係合部６として上方の開口部分が狭まる断面形状が凹状すなわちリップ溝形１５の係合凸部７を引手３の表面に設け、他方の引手３は係合部６として両側外縁にリップ溝形１５の係合凸部７の縁が装入できる切欠状の切欠部１６を形成した係合凹部８を設けて係合できる形に形成したスライドファスナー用スライダーである。
【００２２】
請求項９記載の発明は、請求項１記載の発明の構成に加え、ファスナーチェン１に対向して突き合わせ状に配置したスライダー２の引手３同士が重合する面、またはファスナーチェン１に配置したスライダー２の引手３の表面と、引手３に対向する受部材４としての摘み片５の表面において、一方の係合部６として雄形面ファスナー片１８を装着し、他方の係合部６として雌形面ファスナー片１９を装着して係合できる形に形成したスライドファスナー用スライダーである。
【００２３】
請求項１０記載の発明は、請求項１記載の発明の構成に加え、ファスナーチェン１に対向して突き合わせ状に配置したスライダー２の引手３同士の重合面、またはファスナーチェン１に配置したスライダー２の引手３の表面と受部材４としての摘み片５の表面に起立する固定板２０を設け、この固定板２０が垂直面で重合できる形に形成するとともに、固定板２０が重合したとき、合致する施錠用または封止用の透孔９を固定板２０の水平横方向に設けて、錠前３０、封止具により施錠または封止ができる形に形成したスライドファスナー用スライダーである。
【００２４】
【発明の実施の形態】
以下、この発明のスライドファスナー用スライダーについて、図面を参照しながら具体的に説明する。
【００２５】
この発明のスライドファスナー用スライダーは、図１〜３に示すようにスライダー２は胴体２１と引手３から形成され、胴体２１は上翼板２２と下翼板２３とを案内柱２４で連結し、上翼板２２と下翼板２３の両側にはガイドフランジ２５が設けられている。また上翼板２２の表面には引手３を取り付けるための環状の引手取付部１２が設けられ、この引手取付部１２は後口側が上翼板２２から隔離され肩口側のみが連結されている。この上翼板２２の引手取付部１２に長尺状の引手３の一端に穿設した取付孔２６を嵌挿して引手３を自由に揺動できるように取り付ける。
【００２６】
この発明のスライダー２は、ファスナーチェン１に２個のスライダー２を対向して突き合わせ状、すなわち胴体２１の案内柱２４が当接する形で装着される。一方の引手３は中央部分に対向するスライダー２の引手取付部１２が嵌入できる長孔１３を穿設し、さらに長孔１３の先端側に設けた円形の穴部１０の周囲に、係合部６として樹脂から成形された環状に表面へ突出し、先端が内方へ膨出する係合凹部８を設け、係合凹部８の中心には円形の施錠用または封止用の透孔９を貫設する。他方の引手３は取付孔２６に近い部分に設けた円形の穴部１０の周囲に、係合部６として樹脂から成形して環状に表面へ突出し、先端が外方へ膨出する係合凸部７を設け、係合凸部７の中心にも係合凹部８と同様に円形の施錠用または封止用の透孔９を貫設する。
【００２７】
ファスナーチェン１に対向して突き合わせ状に配置したスライダー２は、図２に示すように係合凹部８を設けた引手３を胴体２１の肩口側すなわち案内柱２４側へ倒伏させて対向するスライダー２の引手３と重ね合わせ、引手取付部１２を長孔１３に嵌入させ、さらに係合部６としての係合凹部８と係合凸部７とを係合させて固定することによって、係合凸部７と係合凹部８の中心に穿設した透孔９が合致し表裏へ貫通され、係合凸部７と係合凹部８とを係合させると引手３を仮固定でき、また引手３の揺動を防ぎ、さらに透孔９に錠前３０の錠杆３１を挿通して施錠するか、または封止具によって封止することによって、ファスナーチェン１は開口することができない。
【００２８】
上記のスライダー２は胴体２１、引手３とともに亜鉛合金、アルミニウム合金を用いてダイカスト成形し、引手３に設けた穴部１０の周囲に係合部６を形成するため、ポリアセタール、ポリアミド、ポリプロピレン、ポリブチレンテレフタレートなどの熱可塑性樹脂を用いて、環状の中央に透孔９を設けた係合凸部７と係合凹部８とを射出成形手段によって成形する。この際、金属製の引手３に樹脂を容易かつ確実に取り付けるため、図３に示すように穴部１０の周囲に引手３の厚みよりも薄い舌片１１を周設し、この舌片１１を埋装する形で樹脂を射出成形して係合凸部７と係合凹部８を形成する。なお施錠用または封止用の透孔９は必ずしも係合凸部７と係合凹部８の中心に設置することなく、引手３を長尺状に形成して他の部分に係合部分とは別個に形成することもできる。また、係合凸部７と係合凹部８とを反対に設置してもよい。
【００２９】
図４に示すスライダー２の引手３は、係合部６としての係合凸部７と係合凹部８における係合部分の形態の変形例を示すものであり、ファスナーチェン１に対向して突き合わせ状に配置したスライダー２の引手３は、金属製で引手３の穴部１０の周囲に舌片１１を周設し、一方のスライダー２の引手３を胴体２１の肩口側へ倒伏する引手３には、長孔１３の先端側に設けた穴部１０の周辺の舌片１１に樹脂を成形することにより、表面へ円環状に突出し、かつ先端が外方へ膨出し中央に透孔９を備えた係合凸部７を設け、他方のスライダー２の引手３は取付孔２６の近傍に、係合凸部７と係合するための係合凹部８を樹脂により穴部１０の周囲に射出成形する。
【００３０】
係合凹部８は舌片１１の周囲に引手３と略同厚で中央に透孔９有し、透孔９の入口が傾斜するガイド面２７を形成し、このガイド面２７の内面の一部に透孔９内へ突出し、係合凸部７と係合できる形に形成する。係合凸部７と係合凹部８を係合させると引手３は仮固定され引手３の揺動を防ぐ。また透孔９に錠前３０の錠杆３１を挿通して施錠することにより、ファスナーチェン１は開口することができない。
【００３１】
図５、６に示すスライダー２の引手３は、係合部６としての係合凸部７と係合凹部８の係合部分における形態の変形例を示すものであり、ファスナーチェン１に対向して突き合わせ状に配置されたスライダー２における、一方の引手３の先端側に円形の穴部１０を設け、この穴部１０の周囲に舌片１１を設ける。舌片１１の周囲には引手３の両側に沿う形で平行に突出し、横断面形状が凹状すなわちリップ溝形１５の形状を呈する係合凸部７を樹脂によって射出成形するとともに、中央に施錠用または封止用の透孔９を設ける。
【００３２】
対向する他方の引手３は、係合凸部７に設けた透孔９と合致し同経の貫通する透孔９を金属製の引手３に設け、この透孔９の両側に前記リップ溝形１５の係合凸部７が係合できるように、引手３の縁部を切り欠いて凹状の切欠部１６を設けて係合凹部８を形成し、係合凸部７と係合凹部８とを係合させると引手３を仮固定でき引手３の揺動を防ぎ、また透孔９に錠前３０の錠杆３１を挿通して施錠することにより、ファスナーチェン１は開口することができない。
【００３３】
図７に示すスライダー２の引手３は、係合部６における形態の変形例を示すものであり、ファスナーチェン１に対向して突き合わせ状に配置されたスライダー２の引手３は、一方の引手３に長孔１３を設け、この長孔１３の先端側に円形の施錠用または封止用の透孔９を穿設し、この透孔９の周囲に、中央に円形の透孔９を設けた雄形面ファスナー片１８を接着剤によって接着して係合部６を形成する。
【００３４】
他方の引手３は取付孔２６の近傍で双方の引手３を重ね合わせたとき、透孔９に合致する個所に透孔９を設け、この透孔９の周囲に、中央に円形の透孔９を設けた雌形面ファスナー片１９を接着剤で接着して係合部６を形成し、雄形面ファスナー片１８と雌形面ファスナー片１９とが係合させることによって、仮固定ができ引手３の揺動を防ぐ、また透孔９に錠前３０の錠杆３１を挿通して施錠することによりファスナーチェン１は開口させることができない。
【００３５】
なお、ここでは係合部６として雄形面ファスナー片１８と雌形面ファスナー片１９とを用いて係合させるが、係合部６として用いるのは雄形面ファスナー片１８と雌形面ファスナー片１９との係合のみでなく、面ファスナー片として雌雄混在形面ファスナー片同士、また雌雄混在形面ファスナー片と雄形面ファスナー片、あるいは雄形面ファスナー片同士であっても係合が可能であるから、係合部６として用いることができる。
【００３６】
図８に示すスライダー２の引手３は、引手３の形態の変形例を示すものであり、ファスナーチェン１に対向して突き合わせ状に配置したスライダー２の引手３は、一方の引手３は対向するスライダー２の引手取付部１２を避ける形で引手３をへの字状に屈曲させてうつぶせに倒す。そして先端側に各種の係合凸部７または係合凹部８を設置する。他方の引手３は取付孔２６の近傍をへの字状に屈曲させて、対向スライダー２の引手３と重合できるように形成し、かつ前記各種の係合凸部７または係合凹部８と対向する係合凹部８または係合凸部７を設置して係合できる形に形成した引手３である。
【００３７】
図９、１０に示すスライダー２の引手３は、施錠機構の変形例を示すものであり、ファスナーチェン１に対向して突き合わせ状に配置したスライダー２の引手３は、胴体２１の肩口側へ倒伏させる引手３は長尺で中央に対向するスライダー２の引手取付部１２を嵌入できる長孔１３を設け、長孔１３の先端側に係合部６として係合凹部８を形成し、この係合凹部８から先端を分厚い中実状の固定板２０を起立状に設け、この固定板２０に施錠用または封止用の透孔９を水平横方向に穿設する。
【００３８】
他方のスライダー２の引手３は、短尺で引手取付孔２６の近傍に係合部６として係合凸部７を設け、この係合凸部７から先端にかけて前記対向する引手３に設けた固定板２０に対応できるように引手３の両側に起立する固定板２０を立設して透孔９を水平横方向に設ける。したがって対向スライダー２の引手３を倒伏して係合凸部７と係合凹部８とを係合させると固定板２０に設けた透孔９が合致し、この透孔９に錠前３０の錠杆３１を挿通して施錠する。
【００３９】
図１１は、引手３の固定板２０の変形例を示すものであり、胴体２１の肩口側へ倒伏する引手３の両側縁に固定板２０を起立させ、対向する引手３の両側縁に起立して設けた固定板２０間に嵌め込んで係合させる引手３である。
【００４０】
最後に図１２に示すスライダー２の引手３は、ファスナーチェン１には１個のスライダー２を配置し、ファスナーチェン１の端部に受部材４としての摘み片５を縫着して取り付け、この摘み片５は柔軟な皮革が好ましく摘み片５には引手３に設けた係合凹部８に対向するため金属製の係合凸部７を取り付ける。係合凸部７、係合凹部８の中心には透孔９が設けられ錠前３０の錠杆３１を挿通できるように形成されている。
【００４１】
以上説明したとおり、受部材４はスライダー２の引手３であろ、摘み片５であるが、これ以外にもファスナーチェン１の端部に固定されるＵ字状の上止めに係合凸部７を係合部６として設けてもよい。また、各種の形態の合成樹脂製の係合凸部７、係合凹部８を金属製のスナップタイプに形成してもよい。
【００４２】
【発明の効果】
この発明のスライドファスナーの止部は、以上説明したとおりの構成であり、この構成によって下記の効果を奏するものである。
【００４３】
この発明のうち請求項１記載の発明は、ファスナーチェンの閉鎖時にスライダーの引手と受部材とが同一方向において重合可能に形成し、引手の表面と受部材の表面との双方に係合部を設けて係合可能に形成し、引手と受部材とが重合したとき、合致する施錠または封止用の透孔を引手および受部材に設けたことによって、引手と受部材とが同一方向で重合し係合するので、引手が仮固定され揺動するのを容易に防ぎ、かつ合致する透孔を利用して、市販の錠前、封止具を使用して簡単に施錠または封止でき、安心して使用できる効果がある。
【００４４】
請求項２記載の発明は、請求項１記載の発明の効果に加え、受部材は、スライダーに対向して衝合状に配したスライダーの引手から形成したことによって、スライダーの引手と対向する受部材は、ファスナーチェンに対向状に配したスライダーの引手であるから、ファスナーチェンのいかなる個所においても引手を仮固定し揺動するのを防ぐとともに、施錠によりファスナーチェンの開口を簡単に防ぐことができる効果がある。
【００４５】
請求項３記載の発明は、請求項１記載の発明の効果に加え、受部材は、ファスナーチェンの末端に一端を固定した摘み片から形成したことによって、スライダーの引手と対向する受部材は、ファスナーチェンの端部においてスライダーの引手を仮固定し揺動するのを防ぐとともに、施錠によりファスナーチェンの開口を簡単に防ぐことができる効果がある。
【００４６】
請求項４および５記載の発明は、請求項１記載の発明の効果に加え、対向して衝合状に配したスライダーにおける双方の引手を金属製にし、引手に穴部を設けてその周囲に係合部として合成樹脂製の係合凸部または係合凹部を成形するか、または穴部の周囲に薄い舌片を設けて埋装する形で係合部分を成形したことによって、金属製の引手に合成樹脂製の係合部分を簡易に成形することができ、そのうえ係合部分を強固かつ安定した状態で成形できる効果がある。
【００４７】
請求項６記載の発明は、請求項１記載の発明の効果に加え、対向して衝合状に配したスライダーにおける一方の引手の中央に、対向するスライダーにおける引手取付部を嵌挿するための長孔を設けたことによって、対向するスライダーの引手を重合したとき、嵩高にならず体裁のよいスライダーに仕上げられる効果がある。
【００４８】
請求項７記載の発明は、請求項１記載の発明の効果に加え、対向して衝合状に配したスライダーの引手を、それぞれへの字状に形成し、伏臥させて重合可能に形成したことによって、対向するスライダーの引手を重合したとき、引手の端部が表面へ浮き上がって他物に引っ掛かる弊害を防ぐ効果がある。
【００４９】
請求項８記載の発明は、請求項１記載の発明の効果に加え、対向して衝合状に配したスライダーの引手は、一方の引手に係合部として開口部分が狭まる断面凹状のリップ溝形の係合凸部、他方の引手に係合部として両側外縁に切欠部を形成した係合凹部を設け、係合可能に形成したことによって、対向するスライダーの引手を重合したとき、引手間の空隙を最小限にし係合機構を嵩張らない形に仕上げることができる効果がある。
【００５０】
請求項９記載の発明は、請求項１記載の発明の効果に加え、スライダーの引手と受部材の表面に、係合部として一方に雄形面ファスナー片を装着し、他方に雌形面ファスナー片を装着して係合可能に形成したことによって、簡単に入手できかつ容易に装着できる係合部材を採択することができ、簡易に製品を作製できる効果がある。
【００５１】
請求項１０記載の発明は、請求項１記載の発明の効果に加え、スライダーの引手と受部材とに起立する固定板を設け、固定板に施錠または封止用の透孔を横設したことによって、対向状に配したスライダーの引手同士または引手と摘み片を使用製品に装着したとき、製品と引手間に空隙がなく施錠することが難しい場合など錠杆を横方向から差し込みできるので施錠操作が容易にできる効果があるなど、この発明が奏する効果はきわめて顕著である。
【図面の簡単な説明】
【図１】対向するスライダーの斜視図である。
【図２】同上の引手を重合し係合した状態の正面図である。
【図３】同上の引手のＡ−Ａ線断面図である。
【図４】引手の係合部分の変形例を示す断面図である。
【図５】対向するスライダーの第１変形例を示す斜視図である。
【図６】同上の引手の係合部分における断面図である。
【図７】対向するスライダーの第２変形例を示す斜視図である。
【図８】対向するスライダーの第３変形例を示す側面図である。
【図９】対向するスライダーの第４変形例を示す斜視図である。
【図１０】同上のスライダーの一部を切欠した側面図である。
【図１１】対向するスライダーの第５変形例を示す一部を切欠した側面図である。
【図１２】スライダーと摘み片を対向状に配した状態を示す斜視図である。
【図１３】公知のスナップ連結具の断面図である。
【図１４】公知の施錠機構を内装したスライダーの一部を切欠した側面図である。
【符号の説明】
１　　　　　　ファスナーチェン
２　　　　　　スライダー
３　　　　　　引手
４　　　　　　受部材
５　　　　　　摘み片
６　　　　　　係合部
７　　　　　　係合凸部
８　　　　　　係合凹部
９　　　　　　透孔
１０　　　　　　穴部
１１　　　　　　舌片
１２　　　　　　引手取付部
１３　　　　　　長孔
１５　　　　　　リップ溝形
１６　　　　　　切欠部
１８　　　　　　雄形面ファスナー片
１９　　　　　　雌形面ファスナー片
２０　　　　　　固定板
【図１】
2004049503.tif 000003
【図２】
2004049503.tif 000004
【図３】
2004049503.tif 000005
【図４】
2004049503.tif 000006
【図５】
2004049503.tif 000007
【図６】
2004049503.tif 000008
【図７】
2004049503.tif 000009
【図８】
2004049503.tif 000010
【図９】
2004049503.tif 000011
【図１０】
2004049503.tif 000012
【図１１】
2004049503.tif 000013
【図１２】
2004049503.tif 000014
【図１３】
2004049503.tif 000015
【図１４】
2004049503.tif 000016